【事件の表示】
　特許第６３５４４６４号に関する訂正審判事件について、次のとおり審決する。
【結　論】
　特許第６３５４４６４号の明細書及び特許請求の範囲を本件審判請求書に添付された訂正明細書及び特許請求の範囲のとおり訂正することを認める。
【理　由】
１　手続の経緯
　本件訂正審判の請求に係る特許第６３５４４６４号は、平成２６年８月２９日に特許出願され、平成３０年６月２２日に特許権の設定登録がされ、平成３０年１１月２日に本件訂正審判の請求がされたものである。
２　請求の趣旨
　本件訂正審判の請求の趣旨は、審判請求書の請求の趣旨に記載されているとおり、特許第６３５４４６４号の明細書及び特許請求の範囲を、本件審判請求書に添付された訂正明細書及び特許請求の範囲のとおり訂正することを認める、との審決を求めるものである。
３　訂正の内容
　本件訂正審判に係る訂正の内容は、次のとおりである。（下線部分は訂正箇所を示す。）
（１）訂正事項１
　特許請求の範囲の請求項７を削除する。
（２）訂正事項２
　特許請求の範囲の請求項８を削除する。
（３）訂正事項３
　特許請求の範囲の請求項９の「請求項１〜８の何れか１項に記載の軸受装置」との記載を「請求項１〜
６
（４）訂正事項４
　特許請求の範囲の請求項１０の「請求項１〜９の何れか１項に記載の軸受装置」との記載を「請求項１〜
６、及び９
（５）訂正事項５
　明細書の段落【００１３】の
「（７）　前記玉の直径をＤａとし、
　前記玉のピッチ円半径をｄｍとすると、
　前記内輪又は外輪の傾き角度は、０．００９×Ｄａ０．５／ｄｍ０．６〜０．００１５×Ｄａ０．５／ｄｍ０．６（ラジアン）の範囲に設定される
ことを特徴とする（１）〜（６）の何れか１つに記載の軸受装置。
（８）　前記玉の直径をＤａとし、
　前記玉のピッチ円半径をｄｍとすると、
　前記内輪又は外輪の傾き角度は、０．００３×Ｄａ０．５／ｄｍ０．６〜０．００６×Ｄａ０．５／ｄｍ０．６（ラジアン）の範囲に設定される
ことを特徴とする（１）〜（６）の何れか１つに記載の軸受装置。
（９）　前記玉軸受は一対設けられ、
　一方の前記玉軸受の前記内輪又は前記外輪の傾き方向と、他方の前記玉軸受の前記内輪又は前記外輪の傾き方向と、は逆方向である
ことを特徴とする（１）〜（８）の何れか１つに記載の軸受装置。
（１０）　前記揺動部材は、ハードディスクドライブのスイングアームを含む
ことを特徴とする（１）〜（９）の何れか１つに記載の軸受装置。」
との記載を、
「
（７
　一方の前記玉軸受の前記内輪又は前記外輪の傾き方向と、他方の前記玉軸受の前記内輪又は前記外輪の傾き方向と、は逆方向であることを特徴とする（１）〜（
６
（
８
ことを特徴とする（１）〜（
７
に訂正する。
（６）訂正事項６
　明細書の段落【００４９】の「実施例」との記載を「
参考
４　当審の判断
（１）訂正事項１及び２
ア　訂正の目的について
　訂正事項１及び２は、それぞれ特許請求の範囲の請求項７及び８を削除する訂正であり、特許法第１２６条第１項ただし書第１号に規定する「特許請求の範囲の減縮」を目的とするものである。
イ　願書に添付した明細書、特許請求の範囲又は図面に記載した事項の範囲内か否か、実質上特許請求の範囲を拡張し、又は変更する訂正か否か
　訂正事項１及び２は、それぞれ特許請求の範囲の請求項７及び８を削除する訂正であるから、願書に添付した明細書、特許請求の範囲又は図面に記載した事項の範囲内の訂正であるとともに、実質上特許請求の範囲を拡張し、又は変更する訂正ではない。
　よって、訂正事項１及び２は、特許法第１２６条第５項及び第６項の規定に適合する。
ウ　特許出願の際独立して特許を受けることができるか否か
　訂正事項１及び２は請求項を削除する訂正であるから、特許出願の際独立して特許を受けることができなくなるような事情は存在しない。
　よって、訂正事項１及び２は、特許法第１２６条第７項の規定に適合する。
（２）訂正事項３及び４
ア　訂正の目的について
　訂正事項３及び４は、訂正前の請求項９及び１０が請求項７及び８の記載を引用する記載であるところ、訂正事項１及び２により訂正前の請求項７及び８が削除されたことに伴って、当該請求項９及び１０の記載を、訂正前の請求項７及び８の記載を引用しないものとする訂正であるから、特許法第１２６条第１項ただし書第１号に規定する「特許請求の範囲の減縮」を目的とするものである。
　また、訂正事項１及び２により訂正前の請求項７及び８が削除されたことに伴い、請求項７及び８の記載を引用する記載は不明瞭となるから、訂正事項３及び４は、特許法第１２６条第１項ただし書第３号に規定する「明瞭でない記載の釈明」を目的とするものでもある。
イ　願書に添付した明細書、特許請求の範囲又は図面に記載した事項の範囲内か否か、実質上特許請求の範囲を拡張し、又は変更する訂正か否か
　訂正事項３及び４は、請求項７及び８の削除に伴い、これらの請求項の記載を引用しないものとする訂正であり、実質的な内容の変更を伴うものではないから、願書に添付した明細書、特許請求の範囲又は図面に記載した事項の範囲内の訂正であるとともに、実質上特許請求の範囲を拡張し、又は変更する訂正ではない。
　よって、訂正事項３及び４は、特許法第１２６条第５項及び第６項の規定に適合する。
ウ　特許出願の際独立して特許を受けることができるか否か
　訂正事項３及び４は、請求項７及び８の削除に伴い、これらの請求項の記載を引用しないものとする訂正であり、実質的な内容の変更を伴うものではないから、特許出願の際独立して特許を受けることができなくなるような事情は存在しない。
　よって、訂正事項３及び４は、特許法第１２６条第７項の規定に適合する。
（３）訂正事項５
ア　訂正の目的について
　訂正前の明細書の段落【００１３】には、訂正前の特許請求の範囲に対応する記載があるため、訂正事項１〜４による訂正後の特許請求の範囲との関係で不明瞭となる。
　訂正事項５は、訂正後の特許請求の範囲の記載と、明細書の記載を整合させるための訂正であり、特許法第１２６条第１項ただし書第３号に掲げる「明瞭でない記載の釈明」を目的とするものである。
イ　願書に添付した明細書、特許請求の範囲又は図面に記載した事項の範囲内の訂正であるか否か、実質上特許請求の範囲を拡張し、又は変更する訂正か否かについて
　上記（１）、（２）で説示したとおり、訂正事項１〜４による特許請求の範囲の訂正は、願書に添付した明細書、特許請求の範囲又は図面に記載した事項の範囲内の訂正であるとともに、実質上特許請求の範囲を拡張し、又は変更する訂正ではない。
　よって、訂正後の特許請求の範囲の記載と明細書の記載を整合させるための訂正である訂正事項５は、願書に添付した明細書、特許請求の範囲又は図面に記載した事項の範囲内の訂正であるとともに、実質上特許請求の範囲を拡張し、又は変更する訂正ではないから、特許法第１２６条第５項及び第６項の規定に適合する。
（４）訂正事項６
ア　訂正の目的について
　訂正前の明細書の段落【００４９】〜【００５４】には、「実施例」として、軸受装置をＨＤＤに組み込んで試験した場合の、軸受の内輪又は外輪のラジアル荷重変化方向への傾きを変化させた場合の傾き角度と、トルク変動（電流値変動）を示したときのシーク数との関係に基づいて、内輪又は外輪のラジアル荷重変化方向への好ましい傾き範囲を特定したことが示されており、これは訂正前の請求項７及び８に対応する実施例であるといえる。しかしながら、上記の訂正事項１及び２により訂正前の請求項７及び８が削除されたことに伴い、特許請求の範囲との間で当該「実施例」との記載が不明瞭となっている。
　訂正事項６は、訂正後の特許請求の範囲の記載と明細書の記載の整合を図るため、明細書中の「実施例」との記載を「
参考
イ　願書に添付した明細書、特許請求の範囲又は図面に記載した事項の範囲内の訂正であるか否か、実質上特許請求の範囲を拡張し、又は変更する訂正か否かについて
　訂正事項６は、訂正後の特許請求の範囲の記載との整合を図るために、明細書中の「実施例」との記載を「
参考
　よって、訂正事項６は、特許法第１２６条第５項及び第６項の規定に適合する。
５　むすび
　以上のとおり、本件訂正審判の請求に係る訂正は、特許法第１２６条第１項ただし書第１号及び第３号に規定する事項を目的とするものであり、かつ、同条第５項ないし第７項の規定に適合する。
　よって、結論のとおり審決する。